(57)【特許請求の範囲】
【請求項１】
遊技機の動作を制御するための制御回路が形成された制御基板を内部に収納するために、一面が開口された箱状に形成されたベース体と、一面が開口されているとともに前記ベース体の開口を塞ぐことができる箱状に形成された蓋体とを有し、前記ベース体と前記蓋体とが組み合わされると、前記ベース体及び前記蓋体の内部に前記制御基板を収納する収納室が形成され、且つ、互いに組み合わされた前記ベース体と前記蓋体との結合に棒状の結合具が用いられる基板ケースであって、
前記ベース体には、制御基板が取り付けられる底部と、この底部の周縁に沿って形成されるとともに当該底部から立ち上がる側壁部とが設けられ、
前記蓋体には、前記ベース体の開口を塞ぐ天井部と、この天井部の周縁に沿って形成されるとともに当該天井部から垂れ下がる側壁部とが設けられ、
前記結合具には、棒状に形成された本体部分と、この本体部分の先端部分に設けられ、斜め後方へ突出するとともに、広がった状態から窄んだ状態へ弾性変形可能な返り部と、前記本体部分の後端部分における側面から突出するとともに、外周縁が前記返り部の先端よりも径方向外側に広がっている鍔部とが設けられ、
前記結合具は、複数の破片に破壊されるように形成されたものであり、
前記ベース体及び前記蓋体の一方には、前記結合具の前記本体部分及び前記返り部を挿通させるための挿通孔が形成され、
この挿通孔の内径は、前記本体部分及び前記返り部が挿通可能、且つ、前記鍔部が挿通不可能な寸法とされ、
前記ベース体及び前記蓋体の他方には、窄んだ状態の前記返り部が内部を挿通可能となっている返り部挿通孔と、前記挿通孔の奥で当該挿通孔と連通するように形成されているとともに広がった状態の前記返り部を収納可能なサイズを有する第１返り部室と、前記第１返り部室に臨んで開口する前記挿通孔の開口の周囲に形成されて、当該返り部挿通孔を通り抜けた前記返り部を後退不可能にすべく係止する第１係止部と、
前記返り部挿通孔の奥で当該返り部挿通孔と連通するように形成されているとともに、広がった状態の前記返り部を収納可能なサイズを有する第２返り部室と、この第２返り部室に臨んで開口する前記返り部挿通孔の開口の周囲に形成されて、当該返り部挿通孔を通り抜けた前記返り部を後退不可能にすべく係止する第２係止部と、
前記第１返り部室及び前記第２返り部室の内部空間をそれぞれ外部空間に連通させる第１外部排出孔及び第２外部排出孔と、
前記収納室と前記第１返り部室及び記第２返り部室の内部空間とを仕切る仕切壁とが設けられ、
前記第１外部排出孔及び第２外部排出孔は、その外部空間へ向かって延出する延出方向がいずれも前記挿通孔及び前記返り部挿通孔における前記返り部の挿通方向と交差する方向となっており、
前記挿通孔及び前記返り部挿通孔は、前記ベース体及び前記蓋体のそれぞれにおける互いに対応する位置に設けられ、
前記ベース体及び前記蓋体は、前記収納室を形成するように組み合わされると、前記挿通孔及び前記返り部挿通孔が互いに連通して、その内部に前記結合具が挿通可能な状態となり、この状態で前記挿通孔及び前記返り部挿通孔の内部に挿通された前記結合具の前記返り部が前記第２係止部に係止されると、前記結合具の前記鍔部と前記返り部との間に挟み込まれて、互いに結合されるように形成され、
前記結合具が複数の破片に破壊された場合、複数に破壊された破片のうち、少なくとも前記返り部を含む破片は、前記第１外部排出孔あるいは第２外部排出孔を通じて外部へ取り出し可能とされ、
前記第１外部排出孔及び第２外部排出孔は、前記ベース体及び前記蓋体を前記結合具で相互に結合すると、前記ベース体及び前記蓋体の一方の側壁部によって全体が覆われるように形成されていることを特徴とする基板ケース。
【請求項２】
前記第１外部排出孔及び第２外部排出孔の開口面は、該第１外部排出孔及び第２外部排出孔を覆う前記側壁部の厚さに相当する距離分、前記収納室内部側にシフトして設けられているとともに、前記ベース体及び前記蓋体の一方の側壁部はその一部に該側壁部から延長した舌部を有しており、前記ベース体及び前記蓋体を前記結合具で相互に結合すると、前記舌部は、前記開口面の全体を覆うように形成されていると共に、前記舌部以外の側壁部は、前記ベース体及び前記蓋体の側壁部の端部が互いに当接するように形成されていることを特徴とする請求項１記載の基板ケース。
【請求項３】
前記ベース体と前記蓋体とが組み合わされて前記ベース体及び前記蓋体の内部に前記制御基板を収納する方形状の内部空間を有する収納室が形成される際に、該方形状の内部空間の長辺側の側面部は、前記ベース体及び前記蓋体の側壁部の一部が互いに重なり合うことで形成され、短辺側の側面部は、前記ベース体及び前記蓋体の側壁部の端部が互いに当接することで形成されることを特徴とする請求項２記載の基板ケース。
【発明の詳細な説明】
【技術分野】
【０００１】
本発明は、パチンコ機等の遊技機の動作を制御するための制御回路等が形成された制御基板を内部に収納する基板ケースの構造に関する。
【背景技術】
【０００２】
従来から、人々に娯楽を提供するために、パチンコ機等の様々な遊技機が利用されている。
例えば、パチンコ機は、複数種類の図柄が変動表示される図柄変動表示装置に所定の図柄の組合せが表示されると、遊技者に有利な遊技状態となって興趣を与えることで、遊技者に娯楽を提供するものとなっている。
このようなパチンコ機では、該図柄変動表示装置や賞球払出装置等を遊技の進行に伴って制御する各種の制御装置が、遊技者から見て遊技盤の裏面側に配置されている。
【０００３】
このような制御装置は、遊技動作を制御するプログラムを記憶したＲＯＭや、ＲＯＭに記憶されたプログラムを実行するＣＰＵとなるＬＳＩ等の電子部品が、制御基板上に実装されて構成されている。
例えば、主制御基板ないし主基板と称される制御基板には、遊技機の制御ソフトウェアが書き込まれたＲＯＭが搭載され、遊技機の作動を統括的に制御する中枢制御装置としての役割を有している。また、払出制御基板は、球払出装置の作動を制御する役割を有している。
そのため、遊技機の制御基板は、偽造ＲＯＭへの差し替えや不正回路の付加・削除などの行為対象になりやすい。
このような不正行為を防止して公正な遊技に供するため、これら制御基板は、ともに透明な樹脂材料を用いて形成された、一面が開口されて箱状となったベース体と、このベース体の開口を塞ぐ箱状となった蓋体とからなる基板ケースに収容されて、該基板ケースを閉じた閉止状態にロックされ、該基板ケースには、ケース開放時の痕跡が残るような不正開放防止機構が設けられている。
【０００４】
このため、これらのベース体及び蓋体の結合には、専用の結合具、例えば、棒状に形成された本体部分の先端に当該先端部分から斜め後方へ突出する返し部が形成されるとともに、後端部に径方向外側へ広がる鍔部が形成されたものが利用される。
一方、ベース体及び蓋体のそれぞれには、ベース体及び蓋体が組み合わされると、互いに連通する挿通孔が形成されている。
この挿通孔に前述の結合具が挿通される。結合具は、本体部分の先端が挿通孔に挿通されると、その返し部が広がった状態から窄んだ状態へ弾性変形し、連通孔を通り抜けると、元の広がった状態に戻るようになっている。
【０００５】
すると、ベース体及び蓋体は、結合具の返し部と鍔部との間に挟み込まれた状態となり、これにより、相互に結合されるようになっている。
この際、結合具の返し部を基板ケースの表面に露出したままにしておくと、ベース体及び蓋体の結合後にも、結合具の返し部を操作して、返し部による係止を解除し、これにより、基板ケースを開けることができる。
そのうえ、基板ケースを開けて、制御基板に対して不正な処理を施し、その後、不正な処理を施した制御基板を基板ケースの内部に戻し、再び、ベース体及び蓋体を結合して基板ケースを閉じても、基板ケースを開いた痕跡がなんら残らず、基板ケースに対する不正行為の発見が非常に困難となる。
【０００６】
このため、結合具の返し部を封印する封印部材が基板ケースに接着されている。このようにすれば、封印部材を基板ケースから剥がさないと、結合具の返し部を操作できず、封印部材を基板ケースから剥がすと、基板ケースが損傷して、その痕跡が残るようにし、これにより、基板ケースが不正に開放された場合には、その痕跡から、基板ケースの不正開放を容易に発見できるようにしている（例えば、特許文献１参照）。
【先行技術文献】
【特許文献】
【０００７】
【特許文献１】特開２００４−７３５１２号公報
【発明の概要】
【発明が解決しようとする課題】
【０００８】
前述のような基板ケースでは、封印部材を基板ケースから剥がすと、該封印部材は破壊されて再利用ができなくなるうえ、基板ケースにも封印部材を剥がした痕跡が残るので、故障箇所の修理等で基板ケースを開けると、封印部材及び基板ケースは再利用ができず、新たな封印部材及び基板ケースを使わざるをえず、遊技機の修理コストが増大する、という問題がある。
ここで、結合具の本体部分を切断すれば、封印部材を基板ケースから剥がさなくとも、基板ケースを開放することはできる。しかし、ベース体及び蓋体を、再度、接合具で結合するには、挿通孔に残っている結合具の破片を取り除く必要があり、結局、封印部材を基板ケースから剥がさなければならない。この封印部材を剥す作業は面倒であり、また、このようにして基板ケースを開けても、結局、封印部材を剥がすこととなるので、その痕跡が基板ケースの損傷となって残り、やはり基板ケースの再利用はできない。
【０００９】
また、封印部材で結合具の返し部を封印する構造を採用すると、基板ケースの部品点数が増えるうえ、封印部材を接着する手間が増えるので、基板ケースの製造コストが増大し、ひいては、遊技機の製造コストも増大する、という問題がある。
本発明は、上記した従来の技術の有する問題点に鑑みてなされたものであり、その目的とするところは、独立した部品としての封印部材が不要となってコストが低減され、しかも遊技盤裏面の狭いスペースを有効に活用することができると共に十分な不正改造機構を有する基板ケースを提供することである。
【課題を解決するための手段】
【００１０】
請求項１に記載の発明は、遊技機の動作を制御するための制御回路が形成された制御基板を内部に収納するために、一面が開口された箱状に形成されたベース体と、一面が開口されているとともに前記ベース体の開口を塞ぐことができる箱状に形成された蓋体とを有し、前記ベース体と前記蓋体とが組み合わされると、前記ベース体及び前記蓋体の内部に前記制御基板を収納する収納室が形成され、且つ、互いに組み合わされた前記ベース体と前記蓋体との結合に棒状の結合具が用いられる基板ケースであって、前記ベース体には、制御基板が取り付けられる底部と、この底部の周縁に沿って形成されるとともに当該底部から立ち上がる側壁部とが設けられ、前記蓋体には、前記ベース体の開口を塞ぐ天井部と、この天井部の周縁に沿って形成されるとともに当該天井部から垂れ下がる側壁部とが設けられ、前記結合具には、棒状に形成された本体部分と、この本体部分の先端部分に設けられ、斜め後方へ突出するとともに、広がった状態から窄んだ状態へ弾性変形可能な返り部と、前記本体部分の後端部分における側面から突出するとともに、外周縁が前記返り部の先端よりも径方向外側に広がっている鍔部とが設けられ、この結合具は、複数の破片に破壊されるように形成されたものであり、前記ベース体及び前記蓋体の一方には、前記結合具の前記本体部分及び前記返り部を挿通させるための挿通孔が形成され、この挿通孔の内径は、前記本体部分及び前記返り部が挿通可能、且つ、前記鍔部が挿通不可能な寸法とされ、前記ベース体及び前記蓋体の他方には、窄んだ状態の前記返り部が内部を挿通可能となっている返り部挿通孔と、前記挿通孔の奥で当該挿通孔と連通するように形成されているとともに広がった状態の前記返り部を収納可能なサイズを有する第１返り部室と、前記第１返り部室に臨んで開口する前記挿通孔の開口の周囲に形成されて、当該返り部挿通孔を通り抜けた前記返り部を後退不可能に係止させる第１係止部と、前記返り部挿通孔の奥で当該返り部挿通孔と連通するように形成されているとともに、広がった状態の前記返り部を収納可能なサイズを有する第２返り部室と、この第２返り部室に臨んで開口する前記返り部挿通孔の開口の周囲に形成されて、当該返り部挿通孔を通り抜けた前記返り部を後退不可能に係止させる第２係止部と、前記第１返り部室及び記第２返り部室の内部空間をそれぞれ外部空間に連通させる第１外部排出孔及び第２外部排出孔と、前記収納室と前記第１返り部室及び記第２返り部室の内部空間とを仕切る仕切壁とが設けられ、前記第１外部排出孔及び第２外部排出孔は、その外部空間へ向かって延出する延出方向がいずれも前記挿通孔及び前記返り部挿通孔における前記返り部の挿通方向と交差する方向となっており、
前記挿通孔及び前記返り部挿通孔は、前記ベース体及び前記蓋体のそれぞれにおける互いに対応する位置に設けられ、前記ベース体及び前記蓋体は、前記収納室を形成するように組み合わされると、前記挿通孔及び前記返り部挿通孔が互いに連通して、その内部に前記結合具が挿通可能な状態となり、この状態で前記挿通孔及び前記返り部挿通孔の内部に挿通された前記結合具の前記返り部が前記第２係止部に係止されると、前記結合具の前記鍔部と前記返り部との間に挟み込まれて、互いに結合されるように形成され、前記結合具が複数の破片に破壊された場合、複数に破壊された破片のうち、少なくとも前記返り部を含む破片は、前記第１外部排出孔あるいは第２外部排出孔を通じて外部へ取り出し可能とされ、前記第１外部排出孔及び第２外部排出孔は、前記ベース体及び前記蓋体を前記結合具で相互に結合すると、前記ベース体及び前記蓋体の一方の側壁部によって全体が覆われるように形成されていることを特徴とする。
ここで、「少なくとも前記返り部を含む破片」とは、例えば、全体が返り部の一部又は全部であった破片や、一部分が返り部であり残りの部分が他の部位であった破片をいい、要するに、返り部を一部分でも含んでいる破片をいう。
【００１１】
請求項２記載の発明は、前述した請求項１に記載の発明において、次の特徴点を備えているものである。
すなわち、請求項２記載の発明は、前記第１外部排出孔及び第２外部排出孔の開口面は、該第１外部排出孔及び第２外部排出孔を覆う前記側壁部の厚さに相当する距離分、前記収納室内部側にシフトして設けられているとともに、前記ベース体及び前記蓋体の一方の側壁部はその一部に該側壁部から延長した舌部を有しており、前記ベース体及び前記蓋体を前記結合具で相互に結合すると、前記舌部は、前記開口面の全体を覆うように形成されていると共に、前記舌部以外の側壁部は、前記ベース体及び前記蓋体の側壁部の端部が互いに当接するように形成されていることを特徴とする。
【００１２】
請求項３記載の発明は、前述した請求項２記載の発明において、次の特徴点を備えているものである。
すなわち、請求項３記載の発明は、前記ベース体と前記蓋体とが組み合わされて前記ベース体及び前記蓋体の内部に前記制御基板を収納する方形状の内部空間を有する収納室が形成される際に、該方形状の内部空間の長辺側の側面部は、前記ベース体及び前記蓋体の側壁部の一部が互いに重なり合うことで形成され、短辺側の側面部は、前記ベース体及び前記蓋体の側壁部の端部が互いに当接することで形成されることを特徴とする。  
【発明の効果】
【００１３】
以上のように構成されている本発明は、以下に記載されるような効果を奏する。
すなわち、基板ケースを形成するベース体及び蓋体のそれぞれに挿通孔及び返り部挿通孔を設けるとともに、それらの開口の周囲に結合部の返り部を係止させる第１係止部および第２係止部をそれぞれ設けたので、収納室を形成するようにベース体及び蓋体を組み合わせると、挿通孔及び返り部挿通孔が相互に連通することとなり、この状態で結合具を挿通孔及び返り部挿通孔の内部に挿入していくと、結合具の返り部が挿通孔及び返り部挿通孔を通過して第２返り部室に挿入されることとなる。この状態では、返り部が該第２係止部によって係止されるので、ベース体及び蓋体が結合具の鍔部と返り部との間に挟み込まれ、これにより、ベース体及び蓋体が結合されることとなる。
【００１４】
また、第１返り部室及び第２返り部室と外部空間とを連通するそれぞれ第１外部排出孔及び第２外部排出孔を設けたので、基板ケースを開放すると、換言すると、ベース体から蓋体を取り外すと、結合具の返り部が第２係止部によって係止されることから該結合具が破壊され、該結合具の返り部を含む破片が第２返り部室に残ることとなる。また、この際に、返り部がたとえ返り部挿通孔を通り抜けたとしても、第１返り部室の第１係止部によってふたたび係止されるので、該第１係止部によって結合具は確実に破壊され、そのような場合には結合具の返り部を含む破片が該第１返り部室に残ることとなる。このように、基板ケースを開放すると、第２係止部及び／又は第１係止部により結合部が確実に破壊され、第２返り部室及び／又は第１返り部室内に返り部を含む破片が確実に残ることとなるので、開放した痕跡が確実に残されることとなる。
そして、このように第２返り部室あるいは第１返り部室に残った破片は、ベース体及び蓋体を開放することにより、収納室側へ散乱することなく、それぞれ第２外部排出孔あるいは第１外部排出孔を通じて外部へ容易に排出させることが可能となる。これにより、制御基板の修理等のために、基板ケースを開放しても、破壊された結合具の破片の除去が容易に行え、しかも、従来のように、接着した封印部材を剥がす必要もなく、基板ケースの閉鎖も容易に行え、且つ、基板ケースの再利用もでき、従って、修理コストを低減できる。
【００１５】
また、破壊された結合具の破片を排出するための第１外部排出孔及び第２外部排出孔は、いずれも、ベース体及び蓋体を結合具で相互に結合すると、ベース体及び蓋体の一方に設けられている側壁部によって全体が覆われるようになっているので、結合具の返し部を封印する封印部材を独立した部品として設ける必要がなくなる。
さらに、ベース体及び／又は蓋体を透明な合成樹脂で形成しておけば、第１返り部室あるいは第２返り部室に破片が残されているか否かを外部から目視することができるので、基板ケースを不正に開いたことにより結合具が破壊されたことを外部から確認できる。
このように、基板ケースの開放の痕跡を残すことができるので、基板ケースに対する不正行為の発見も容易となる。したがって、封印部材を独立した部品として設ける必要がなくなり、前述した修理コストの低減だけでなく、部品数が削減されることから、基板ケースの製造コストを低減することもできる。
【００１６】
また、請求項２記載の発明によれば、上記した請求項１記載の発明の効果に加え、次のような効果を奏する。
すなわち、第１外部排出孔及び第２外部排出孔の開口面は、該第１外部排出孔及び第２外部排出孔を覆う側壁部の厚さに相当する距離分、収納室内部側にシフトして設けられ、ベース体及び蓋体を結合具で相互に結合すると、側壁部の舌部が開口面の全体を覆うように形成されていると共に、該舌部以外の側壁部では、ベース体及び蓋体の側壁部の端部が互いに当接するように形成されているので、ベース体及び蓋体の外形サイズに対して、内部に形成される収納室の空間を最大にすることができ、遊技機裏側の限られた狭い空間を有効に活用することができる。また、該舌部以外の側壁部ではベース体及び蓋体の側壁部は互いに重複することがないので、材料コストが減少し基板ケースの製造コストを低減することもできる。
【００１７】
また、請求項３記載の発明によれば、上記した請求項２記載の発明の効果に加え、次のような効果を奏する。
すなわち、基板ケースに対しケースを開放することなく不正行為を働こうとした場合、該基板ケースの側壁をこじ開けてその隙間から異物を差し込むことが考えられるが、側壁長が大きいために変形（つまり、こじ開け）が比較的容易と考えられる長辺側側壁は、ベース体(61)及び蓋体(62)の側壁部の一部が互いに重なり合うように形成されているので、長辺側側壁から異物を容易に挿入することはできないし、短辺側側壁は、側壁長が短いためにそもそも容易に変形することがないから、ベース体及び蓋体の側壁部の端部が互いに当接していても、短辺側側壁からも異物を容易に挿入することはできない。
したがって、材料コストの減少と不正行為への十分な対応とを両立させることができる。
【図面の簡単な説明】
【００１８】
【図１】本発明の実施の一形態に係るパチンコ遊技機の正面の斜視図である。
【図２】前記実施形態に係るパチンコ遊技機の裏面からの正面図である。
【図３】前記実施形態に係るパチンコ遊技機の裏面の分解斜視図である。
【図４】前記実施形態に係るパチンコ遊技機の裏面の保護カバーを外した状態（基板ケースを取り付けた状態）状態での正面図である。
【図５】前記実施形態に係る基板ケースの側方からの斜視図である。
【図６】前記実施形態に係る基板ケースの下方からの斜視図である。
【図７】前記実施形態に係る基板ケースの正面図である。
【図８】図７のＡ−Ａ線における断面図である。
【図９】図７のＣ−Ｃ線における断面図である。
【図１０】前記実施形態に係る結合具であるロックピンの斜視図である。
【図１１】前記実施形態に係る結合具であるロックピンの平面図である。
【図１２】図１０のVII−VII線における断面図である。
【図１３】図５の一部の拡大斜視図である。
【図１４】図６の一部の拡大斜視図である。
【図１５】図７のＢ−Ｂ線における一部の拡大断面図である。
【発明を実施するための形態】
【００１９】
以下に、本発明の実施形態について、図面に基づいて説明する。
本実施形態に係るパチンコ遊技機１を遊技者側（表側）から見た斜視図を、図１に示す。
図１に示すように、パチンコ遊技機１は、遊技場の島設備に設置される機枠２と、機枠２の右側部（図１の左側）のヒンジ２ａにより回動可能に支持された前面枠３と、この前面枠３に右側部を回動可能に支持されたガラス扉４と、受け皿６や発射ハンドル７等を一体化してなる一体皿ユニット５を備えている。
【００２０】
前面枠３には、遊技盤８が嵌め込まれており、この遊技盤８上には、液晶表示装置等を含む役物装置や入賞装置などが配置されている（図示せず）。また、ガラス扉４にはその他、スピーカ１１や電飾装置１２等が設けられており、これらは、遊技の進行に応じて、役物装置と共に映像や音・光による様々な演出に用いられる。
【００２１】
そして、パチンコ遊技機の裏側には、そのような演出等の制御や遊技球の制御のため、各種の制御基板や遊技球制御のための装置が多数組み込まれている。
図２、３に示すように、パチンコ遊技機の遊技盤の裏側には、機枠２に前面枠３が取り付けられ、該前面枠３の前面側には前記したように遊技盤（図示しない）とガラス扉４が設けられ、裏面側には貯球タンク２１、該貯球タンク２１から所要量の遊技球を払い出す賞球払出装置２２、液晶表示装置等を保護する裏カバー３０が設けられている。その他、賞球払出制御装置や、音響制御装置、ランプ制御装置および遊技球発射制御装置なども設けられている。
【００２２】
さらに、電子抽選や賞球の払出等を管理し遊技の流れを制御する制御回路が構成されたメイン制御基板（メイン制御装置）や、液晶表示装置に表示する演出用の映像を記憶したメモリや画像再生用の回路等を有するサブ制御基板（サブ制御装置）は、基板ケース２３中に収納されて、裏カバー３０内に配置されている。
このように、パチンコ遊技機の裏面側は、所定の大きさの機枠の物理的な制限内に多数の装置を組み込む必要があることから、極めて狭隘な空間となっている。  
【００２３】
そして、これらの制御基板に対する不正行為を防止するとともに再利用を可能とするため、基板ケース２３は、図５に示すように、ベース体６１及び蓋体６２の二つに分割可能となった箱状とされ、内部にメイン制御基板やサブ制御基板等を収納する収納室を有したうえ、閉鎖状態で封印可能とされている。
【００２４】
基板ケース２３は、そのベース体６１の図５中上下の側縁に設けられた耳部６４、６４’によって、図４に示すように、横長の状態で遊技機裏面に固定されている。そして、ベース体６１の図４中、後側には、液晶表示装置の画面を構成する液晶パネルが嵌め込まれるようになっている。
そして、図４に示す状態から、裏カバー３０により、全体が保護されるように構成されている。
【００２５】
ここで、ベース体６１は、収納室６５の底面を形成する底部６１Ａ と、この底部６１Ａの周縁に沿って形成されるとともに、当該底部６１Ａ から立ち上がる側壁部６１Ｂ とを有するものとなっている。
また、ベース体６１は、底部６１Ａの平面形が長方形状に形成されたものとなっており、この底部６１Ａには、制御基板を取り付けるために、ボス６６等 が立設されている。
一方、蓋体６２は、透明な合成樹脂を成形したものであり、一面が開口されているとともに、ベース体６１の開口を塞ぐことができる箱状に形成されている。
この蓋体６２には、ベース体６１の開口を塞ぐ天井部６２Ａ と、この天井部６２Ａ の周縁に沿って形成されるとともに当該天井部６２Ａから垂れ下がる側壁部６２Ｂとが設けられている。
【００２６】
このような基板ケース２３は、ベース体６１と蓋体６２とが組み合わされると、ベース体６１及び蓋体６２の内部に制御基板を収納する収納室６５が形成されるようになっている。
また、基板ケース２３は、互いに組み合わされたベース体６１と蓋体６２とが、棒状の結合具であるロックピン９０、及び、棒状の接合具であるネジ２６で相互に結合されたものとなっている。
さらに、基板ケース２３は、図７に示すように、横長の状態で遊技機裏面に固定されるものとなっており、ベース体６１の上下の長辺部を前記耳部６４、６４’によって遊技機裏面に固定され、ベース体６１と蓋体６２は、短辺部のうち、右辺部が回動中心として互いに固定されるのに対し、左辺部がロックピン９０で固定される全体構成となっている。
【００２７】
基板ケース２３は、ベース体６１の底部６１Ａ の内側と蓋体６２の天井部６２Ａ の内側とを対向させた状態で、ベース体６１の側壁部６１Ｂ及び蓋体６２の側壁部６２Ｂを互いに摺動あるいは当接させることで開閉動作が行われる一般的な箱構造を備えている。    
【００２８】
蓋体６２は、図８に示すように、その側壁部６２Ｂの右辺部６２ｃに設けられた係止湾曲部６８がベース体６１に設けられた係止部６９に係止されることによって、側壁部６２Ｂの右辺部６２ｃ がベース体６１に取り付けられている。
すなわち、蓋体６２側に設けられた側壁部６２Ｂ の右辺部６２ｃには、図７、図８の如く、蓋体６２の外側に向かって曲がった係止湾曲部６８が複数形成されたものとなっている。
これらの係止湾曲部６８は、図７の如く、右辺部6２ｃ の長手方向に沿って離間して配置されている。
【００２９】
一方、ベース体６１には、図６〜８の如く、蓋体６２側の係止湾曲部６８に対応して、ベース体６１の側壁部６１Ｂの上端縁に、前記係止湾曲部６８を内部に挿通させる挿通スリットを有して該係止湾曲部６８を係止させる係止部６９が設けられている。
蓋体６２は、挿通スリットに係止湾曲部６８を挿通させた状態では、該係止湾曲部６８が係止部６９に係止され、図８に示すように、ベース体６１と蓋体６２とが、右辺部（６１ｃ、６２ｃ）において、係止部６９Ｂ及び係止湾曲部６８の接触点を回動中心として回動可能となり、左辺部（６１ａ、６２ａ）が開閉することで収納室６５開放したり閉鎖したりすることができる。
一方、蓋体６２は、図８中時計方向へ回動させることで、係止湾曲部６８を係止部６９から脱出させることが可能となっており、そのように蓋体６２の係止湾曲部６８を脱出させると、係止湾曲部６８の係止部６９による係止が解除され、蓋体６２をベース体６１から分離させることが可能となっている。
【００３０】
ロックピン９０は、図１０〜図１２に示すように、棒状に形成された本体部分であるステム部９１と、このステム部９１の下方に位置する先端部分に設けられ、斜め後方へ突出する返り部９２と、ステム部９２の後端部分における側面から突出する鍔部９３とを備えたものである。そして、ロックピン９０は、蓋体６２およびベース体６１を結合するにあたり、これらの部材を貫通する孔にステム部９１が挿通され、返り部９２と鍔部９３とで、これらの部材を挟み込むことにより、それらの結合を行うものとなっている。
ステム部９１は、図１０及び図１２の如く、後端側に位置するとともに一定の太さとなったストレート部９１Ａ と、先端側に位置するとともに、ストレート部９１Ａの直径に対応した幅の平板状に形成された平板部９１Ｂと、ストレート部９１Ａ及び平板部９１Ｂ を相互に連結する二つの傾斜平面に挟まれて、次第に細くなっていく寸法縮小部９１Ｃ とを有するものとなっている。
【００３１】
返り部９２は、ステム部９１の径方向外側へ広がった状態から窄んだ状態へ弾性変形可能となるようにステム部91に一体成形されたものである。
すなわち、返り部９２は、ステム部９１に形成された平板部９１Ｂ との接続部分の近傍に厚さが薄く形成された薄肉部９２Ａ と、該薄肉部９２Ａ よりも先端側に位置する平板状の揺動部９２Ｂ とを備えたものとなっている。返り部９２は、薄肉部９２Ａ が弾性変形することにより、揺動部９２Ｂ が所定の角度範囲で揺動可能となっている。
ここで、ステム部９１の平板部９１Ｂ は、返り部９２の揺動部９２Ｂが接近方向に揺動した際に、揺動部９２Ｂ との干渉を避けるための逃げを形成するものとなっている。
【００３２】
これにより、返り部９２は、薄肉部９２Ａが弾性変形して揺動部９２Ｂが揺動すると、ステム部９１の平板部９１Ｂにほぼ接する位置まで揺動部９２Ｂが揺動可能となっており、ステム部９１の平板部９１Ｂ にほぼ接する位置まで揺動部９２Ｂ が揺動すると、ステム部９１の外形寸法の範囲内にほぼ全体が収まるように形成されている。
また、薄肉部９２Ａ は、揺動部９２Ｂをステム部９１の平板部９１Ｂから遠ざかる回転方向に揺動させる外力が揺動部９２Ｂ に加わった際に、充分小さな外力で確実に切断される厚さとなっている。
そして、返り部９２は、揺動部９２Ｂ がステム部９１の平板部９１B から遠ざかる回転方向に所定揺動角度以上揺動されると、薄肉部９２Ａ が切断されるようになっている。
【００３３】
これにより、ロックピン９０は、揺動部９２Ｂ が平板部９１Ｂ から遠ざかる回転方向に揺動され、その揺動角度がある程度以上に大きくなると、揺動部９２Ｂ がステム部９１から分離するようになっており、換言すると、複数の破片に破壊されるように形成されている。
鍔部９３は、外周縁が返り部９２の先端よりも、図１０〜図１２の如く、ステム部９１の径方向外側へより大きく広がっているものである。
この鍔部９３には、図１１に示すように、外周縁が返り部９２の先端よりも外側に位置する円環状のリング部９３Ａ と、ステム部９１のストレート部９１Ａの外周面から突出するとともに、リング部９３Ａ をステム部９１のストレート部９１Ａに連結するスポーク部９３Ｂと、リング部９３Ａから径方向外側へ突出するように形成されたタグ部９３Ｃ とが設けられている。
【００３４】
ここで、スポーク部９３Ｂ は、厚さの薄い帯状に形成されたものとなっている。換言すると、スポーク部９３Ｂ は、リング部９３Ａ をステム部９１の軸方向に沿って移動させる外力がリング部９３Ａ に加わった際に、充分小さな外力で確実に切断される厚さとなっている。
そして、鍔部９３は、タグ部９３Ｃ がステム部９１の軸方向に沿って引っ張られる等により、リング部９３Ａがステム部９１の軸方向に沿って移動され、その移動距離がある程度大きくなると、スポーク部９３Ｂ が切断されるようになっている。
これにより、ロックピン９０は、リング部９３Ａ がステム部９１の軸方向に沿って所定移動距離移動以上移動されると、リング部９３Ａ がステム部９１から分離するようになっており、換言すると、複数の破片に破壊されるように形成されている。
【００３５】
基板ケース２３は、ベース体６１の上下の長辺部６１ｂ、６１ｄ側に備えた前記耳部６４、６４’によって遊技機裏面に固定され、ベース体６１と蓋体６２の左右の短辺部のうち、右辺部６１ｃ、６２ｃが回動中心として互いに固定されるのに対し、左辺部６１ａ、６２ａがロックピン９０で固定される構成となっている。
したがって、ロックピン９０は、図５に示すように、蓋体６２の側壁部６２Ｂ における図５中左上部隅部に位置する部分（Ａ部）と、ベース体61の側壁部６１Ｂ における図５中左上部隅部に位置する部分（Ａ’部）とを相互に結合するものとなっている。
また、同様に、蓋体６２の側壁部６２Ｂ における図５中左下部隅部に位置する部分（Ｂ部）と、ベース体６１の側壁部６１Ｂ における図５中左下部隅部に位置する部分（Ｂ’）とを相互に結合するものとなっている。
そこで、先ず、Ａ部−Ａ’部における結合状況について説明する。
【００３６】
図５、１３及び図１５に示すように、Ａ部の蓋体６２側に設けられた被結合部２７Ａは、蓋体６２の天井部６２Ａの表面から内側に凹んだ凹部２９の底面を形成するものとなっている。
この被結合部２７Ａには、図９に示すように、結合具であるロックピン９０のステム部９１及び返り部９２を挿通させるためのロックピン挿通孔７０と、ベース体６１と蓋体６２とを固定するためのネジを挿通するネジ挿入孔７１とが形成されている。
【００３７】
一方、被結合部２７Ａに対向してベース体６１側に設けられた結合部２８Ａは、図５に示すように、側壁部６１B の短辺部である左辺部６１ａ に形成されており、左辺部6１ａの内側面から収納部６５の方へ突出して形成されている。
そして、該結合部２８Ａでは、図１５に示すように、蓋体６２側に形成されたロックピン挿通孔７０に対応する位置に、該ロックピン挿通孔７０に挿通されたロックピン９０の返り部９２を挿通させるための返り部挿通孔７２と、蓋体６２側に形成されたネジ挿通孔７１から挿通されたネジ２６に螺合するネジ螺合部７３とが設けられている。
【００３８】
ここにおいて、ロックピン挿通孔７０及び返り部挿通孔７２は、ベース体６１及び蓋体６２のそれぞれにおける互いに対応する位置に設けられている。
そして、ベース体６１と蓋体６２とが組み合わされて基板ケース２３が形をなすと、ロックピン挿通孔７０及び返り部挿通孔７２が相互に連通し、ロックピン９０は、ロックピン挿通孔７０及び返り部挿通孔７２の両方に挿通可能となっている。
【００３９】
ここでロックピン挿通孔７０及び返り部挿通孔７２の内径は、ロックピン９０のステム部９１及び返り部９２が挿通可能、且つ、ロックピン９０の鍔部９３が挿通不可能な寸法となっている。
返り部挿通孔７２は、ロックピン９０の返り部９２が窄んだ状態で内部を挿通可能となっているとともに、返り部９２の入口側が出口側よりも広がるようにベース体６１に設けられたテーパー状の孔である。
ロックピン挿通孔７０が形成されている留め部７２Ａの下方には、ベース体６１に設けられた結合部２８Ａとの間に、ロックピン９０の返り部92を収納することができる空間である第１返り部室７４Ａが形成されている。
一方、返り部挿通孔７２が形成されている留め部７２Ｂの下方には、ベース体６１の底面６１Ａとの間に、ロックピン９０の返り部９２を収納することができる空間である第２返り部室７４Ｂが形成されている。
そして、蓋体６２の該留め部７２Ａ には、ロックピン挿通孔７０の第１返り部室７４Ａに臨む開口の周囲に形成されて、ロックピン挿通孔７０を通り抜けたロックピン９０の返り部９２を係止させる第１係止部７５Ａが設けられ、ベース体６１の該留め部７２Ｂ には、返り部挿通孔７２の第２返り部室７４Ｂに臨む開口の周囲に形成されて、返り部挿通孔７２を通り抜けたロックピン９０の返り部９２を係止させる第２係止部７５Ｂが設けられている。  
【００４０】
第１返り部室７４Ａは、ロックピン挿通孔７０の奥で当該ロックピン挿通孔７０と連通するように形成されているとともに、広がった状態のロックピン９０の返り部９２を収納可能なサイズを有する部屋となっている。
第２返り部室７４Ｂは、返り部挿通孔７２の奥で当該返り部挿通孔７２と連通するように形成されているとともに、広がった状態のロックピン９０の返り部９２を収納可能なサイズを有する部屋となっている。
第１係止部７５Ａは、前述したように第１返り部室７４Ａに臨んで開口するロックピン挿通孔７０の開口の周囲に形成されて、当該ロックピン挿通孔７２を通り抜けたロックピン９０の返り部９２を後退不可能にすべく係止させるものである。
第２係止部７５Ｂは、前述したように第２返り部室７４Ｂに臨んで開口する返り部挿通孔７２の開口の周囲に形成されて、当該返り部挿通孔７２を通り抜けたロックピン９０の返り部９２を後退不可能にすべく係止させるものである。
ロックピン９０は、ロックピン挿通孔７０及び返り部挿通孔７２の両方を通過した返り部９２が第２係止部７５に係止されると、鍔部９３と返り部９２との間に、蓋体６２側の被結合部２７Ａとベース体６１側の結合部２８Ｂとを両側から挟み込み、これにより被結合部２７Ａと結合部２８Ｂとを結合するようになっている。
【００４１】
ここで、蓋体6２側に設けられた側壁部6２B の左辺部６２ａ の側面には、第１返り部室７４Ａの内部空間を外部空間に連通させるための第１外部排出孔７６Ａが開口され、ベース体６１側に設けられた側壁部６１Ｂの左辺部６１ａ の側面には、第２返り部室７４Ｂの内部空間を外部空間に連通させるための第２外部排出孔７６Ｂが開口されている。
これら第１外部排出孔７６Ａおよび第２外部排出孔７６Ｂは、第１返り部室７４Ａ、第２返り部室７４Ｂの内部空間を外部空間に連通させるとともに、第１返り部室７４Ａ、第２返り部室７４Ｂから外部空間へ向かって延出する延出方向が、ロックピン挿入孔７０および返り部挿通孔７２における返り部の挿通方向と交差する方向となった孔である。
【００４２】
ベース体６１及び蓋体６２は、収納室６５を形成するように組み合わされると、前述したように、ロックピン挿通孔７０及び返り部挿通孔７２が互いに連通して、ロックピン挿通孔７０及び返り部挿通孔７２の内部にロックピン９０が挿通可能な状態となるように形成されている。
そして、ベース体６１及び蓋体６２は、ロックピン９０がロックピン挿通孔７０及び返り部挿通孔７２の内部に挿入され、その返り部９２が第２係止部７５に係止されると、ロックピン９０の鍔部９３と返り部９２との間に挟み込まれて、互いに結合されるように形成されている。
その際、図９に示すように、ロックピン９０のタグ９３Ｃは、そのロックピン９０との連結部９３Ｄが蓋体６２の被結合部２７の上面に形成されたタグガイド４０にガイドされて、蓋体６２のネジ挿通孔７１の上面を覆うように構成されている。
【００４３】
被結合部２７Ａと結合部２８Ｂとを結合しているロックピン９０をロックピン挿通孔７０から引き抜く力を加えると、鍔部９３のリング部９３Ａがステム部９１から分離する、あるいは、返り部９２の揺動部９２Ｂ がステム部９１から分離するようになっており、換言すると、複数の破片に破壊されるように形成されている。
したがって、ロックピン９０を引き抜くと、返り部９２が第２係止部７５Ｂに係止されることでその揺動部９２Ｂが分離して破片となり、第２返り部室７４Ｂにその破片が残されることとなる。その際、仮に、揺動部９２Ｂが破片とならずに返り部挿通孔７２を通り抜けて第１返り部室７４Ａに入ってしまったとしても、返り部９２を後退不可能にすべく係止する第１係止部７５Ａにより再び係止され、それにより揺動部９２Ｂは確実に分離され、その破片が第１返り部室に残されることとなる。  
そして、いずれの場合でも、複数に破壊された破片である返り部９２の揺動部９２Ｂは、第１外部排出孔７６Ａ及び／又は第２外部排出孔７６Ｂを通じて外部へ取り出し可能とされる。
【００４４】
また、図１３に示すように、蓋体６２側に設けられた側壁部６２Ｂの左辺部６２ａの下部には、側壁部６２Ｂと同一平面となって垂下する舌部６２Ｄが設けられている。
一方、ベース体６１の側壁部６１Ｂの左辺部６１ａは、第１外部排出孔７６Ａ及び第１外部排出孔７６Ｂに面する側壁が削除されて、第１返り部室７４Ａおよび第２返り部室７４Ｂの開口が形成されている。
そして、ベース体６１及び蓋体６２がロックピン９０で相互に結合されると、削除された側壁部分に前記舌部６２Ｄが陥合して該開口が塞がれるように構成されている。
さらに、蓋体６２の側壁部６２ａの下端縁６２ａ’とベース体６１の側壁部６１ａの上端縁６１ａ’とが接することにより、基板ケースの左側面は、ベース体６１の側壁部６１Ｂと蓋体６２の側壁部６２Ｂとにより同一平面が形成されるように構成されている。
したがって、第１外部排出７６Ａ孔及び第２外部排出孔７６Ｂの開口面は、該第１外部排出孔７６Ａ及び第２外部排出孔７６Ｂを覆う側壁部の厚さに相当する距離分、収納室６５内部側にシフトして設けられ、ベース体６１及び蓋体６３を結合具９０で相互に結合すると、側壁部の舌部６２Ｄが開口面の全体を覆うように形成されていると共に、該舌部６２Ｄ以外の側壁部では、ベース体６１及び蓋体６２のそれぞれ左側壁部６１ａ，６２ａの端縁部６１ａ’、６２ａ’が互いに当接するように形成されている。
このとき、図１３に示すように、蓋体６２側の左側壁部６２ａとベース体６１の左側壁６１ａのそれぞれの端縁部６１ａ’、６２ａ’に、いわゆる相じゃくり加工が施されて加工部６２ａ’’、６１ａ’’が設けられており、該ベース体６１の左側壁部６１ａと蓋体６２の左側壁部６２ａとが接合する際には、該加工部６２ａ’’、６１ａ’’が互いに重なることで、その接合部分に隙間が生じないように構成されている。
これにより、左側壁部側からの不正アクセスを防止している。
【００４５】
また、ベース体６１には、収納室６５と、第１返り部室７４Ａ、第２返り部室７４Ｂとの内部空間とを仕切る仕切壁７７が設けられている。
この仕切壁７７は、ロックピン９０が複数の破片に破壊され、返り部９２の揺動部９２Ｂ がステム部９１から分離した場合、複数の破壊された破片である返り部９２の揺動部９２Ｂ が、収納室６５内に入り込まないように塞いでいる。  
【００４６】
次に、蓋体６２の側壁部６２Ｂ における図５中左下部隅部に位置する部分（Ｂ部）と、ベース体６１の側壁部６１Ｂ における図５中左下部隅部に位置する部分（Ｂ’）とを相互に結合する構成について説明する。
図７におけるＣ−Ｃ断面図である図９、及びＢ―Ｂ’部分の斜視図である図１４に示すように、ベース体６１側の結合部２８Ｂは、前述したＡ−Ａ’部分の結合部２８Ａと同様に形成されているが、蓋体６２側の被結合部２７Ｂは、被結合部２７Ａとはその側壁部６２Ｂの構成が異なっている。
【００４７】
蓋体６２の結合部２７Ｂでは、側壁部６２の下辺部６２ｂが、ベース体６１の側壁部６１Ｂの下辺部６１ｂの全体を覆うことができるように、下辺部６２ｂの下縁部６２ｂ’までの幅が設定されている。
そして、下辺部６２ｂの、第１外部排出７６Ａ孔及び第２外部排出孔７６Ｂの開口部に対向する部分６２ｂ’’は、ベース体６１の下辺部６１ｂの厚さ分に対応して凹状に構成されている。
したがって、蓋体６２の被結合部２７Ｂとベース体６１の結合部２８Ｂとをロックピン９０により結合した状態では、該凹状部分６２ｂ’’が第１外部排出７６Ａ孔及び第２外部排出孔７６Ｂの開口部に嵌合して開口部を覆うこととなる。また、該下辺部では、ベース体６１の側壁部６１Ｂ全体を蓋体６２の側壁部６２Ｂで覆うこととなるので、結合された状態では、基板ケース２３に対する下辺面、つまり下方からの不正なアクセスを排除することができる。
【００４８】
さらに、図５及び図９に示すように、基板ケース２３の上辺面は、ベース体６１と蓋体６２とを結合させたとき、ベース体６１の上辺面６１ｄの全体を、蓋体６２の上辺面６２ｄが覆うように構成されている。したがって、結合された状態では、基板ケース２３の上辺面、つまり上方からの不正なアクセスを排除することができる。
【００４９】
前述のような本実施形態によれば、次のような効果が得られる。
すなわち、基板ケース２３を形成するベース体６１及び蓋体６２のそれぞれに返り部挿通孔７２及びロックピン挿通孔７０を設けるとともに、ロックピン挿通孔７０の奥に、このロックピン挿通孔７０と連通する第１返り部室７４Ａを設け、該第１返り部室７４Ａに臨むロックピン挿通孔７０の開口の周囲にロックピン90の返り部92を係止させるようにするとともに、返り部挿通孔７２の奥に、この返り部挿通孔７２と連通する第２返り部室７４Ｂを設け、第２返り部室７４Ｂに臨む返り部挿通孔７２の開口の周囲にロックピン９０の返り部９２を係止させるようにしたので、収納室６５を形成するようにベース体６１及び蓋体６２を組み合わせると、ロックピン挿通孔７０及び返り部挿通孔７２が相互に連通し、この状態でロックピン９０をロックピン挿通孔７０及び返り部挿通孔７２の内部に挿入していき、返り部９２が返り部挿通孔７２を通過すると、ベース体６１及び蓋体６２がロックピン９０の鍔部９３と返り部９２との間に挟み込まれ、これにより、ベース６１体と蓋体６２とを相互に結合することができるとともに、基板ケース９０を開放するために、換言すると、ベース体６１から蓋体６２を取り外すためにロックピン９０を引き抜くと、返り部９２が第２係止部７５Ｂに係止されることでその揺動部９２Ｂが分離して破片となり、第２返り部室７４Ｂにその破片が残されることとなるが、仮に、揺動部９２Ｂが破片とならずに返り部挿通孔７２を通り抜けて第１返り部室７４Ａに入ってしまった場合でも第１係止部７５Ａにより再び係止されて揺動部９２Ｂは確実に分離されるので、その場合はその破片が第１返り部室に残されることとなり、したがって開放した痕跡を確実に残すことができる。
【００５０】
また、第１返り部室７４Ａ及び第２返り部室７４Ｂからそれぞれ外部空間へ向かって延出する第１外部排出孔７６Ａ及び第２外部排出孔７６Ｂを設け、この外部排出孔７６Ａ、Ｂの外部空間へ向かって延出する延出方向が返り部挿通孔７２における返り部９２の挿通方向と交差する方向としたので、基板ケース９０を開放したために、換言すると、ベース体６１から蓋体６２を取り外すためにロックピン９０を破壊し、ロックピン９０0の返り部９２を含む破片（例えば、揺動部９２Ｂ ）が第１返り部室７４Ａあるいは第２返り部室７４Ｂに残り、この破片がロックピン挿通孔７０及び返り部挿通孔７２を通じて取り出すことが困難でも、これら外部排出孔７６Ａ、Ｂを通じて外部へ揺動部９２Ｂ を容易に排出させることが可能となり、これにより、画像制御基板等の修理等のために、基板ケース２３を開放しても、破壊されたロックピン９０の返り部９２を含む破片（例えば、揺動部９２Ｂ）の除去が容易に行え、しかも、従来のように、接着した封印部材を剥がす必要もなく、その後、基板ケース２４の閉鎖も容易に行え、且つ、基板ケース２３の再利用もでき、従って、修理コストを低減できる。
【００５１】
そして、破壊されたロックピン９０の返り部９２を含む破片を排出するための外部排出孔７６Ａ，Ｂは、ベース体61及び蓋体６２をロックピン９０で相互に結合すると、蓋体６２の側壁部６２Ｂによって全体が覆われるようになっているので、ロックピン９０の返し部９２を封印する封印部材を独立した部品として設ける必要がなくなる。
ここで、蓋体６２を透明な合成樹脂で形成したので、基板ケース２３を不正に開いたことによるロックピン９０の破壊を外部から目視することができ、これにより、基板ケース23の開放の痕跡を外部から容易に確認することができるので、基板ケース２３に対する不正行為の発見も容易となる。したがって、封印部材を独立した部品として設ける必要がなくなり、修理コストの低減だけでなく、部品数を削減できるので、基板ケース２３の製造コストを低減することもできる。
【００５２】
そして、基板ケース２３は、ベース体６１の底部６１Ａの内側と蓋体６２の天井部６２Ａの内側とを対向させた状態で、ベース体６１の側壁部６１Ｂの上端縁６１ａ’及び蓋体６２の側壁部６２Ｂの上端縁６２ａ’を互いに対向させる構造となっているとともに、基板ケースの開閉動作に伴って、蓋体６２の側壁部６２Ｂの舌部６２Ｄがベース体６１の結合部２８Ａにおける第１外部排出孔７６Ａ及び第２外部排出孔７６Ｂの開口面の開閉を行うように形成されているので、ベース体及び蓋体の外形サイズに対して、内部に形成される収納室の空間を最大にすることができ、遊技機裏側の限られた狭い空間を有効に活用することができる。また、該舌部以外の側壁部ではベース体及び蓋体の側壁部は互いに重複することがないので、材料コストが減少し基板ケースの製造コストを低減することもできる。
また、ベース体６１に、収納室６５と第１返り部室７４Ａ及び第２返り部室７４Ｂの内部空間とを仕切る仕切壁７７を設け、この仕切壁７７で、破壊されたロックピン９０の破片が収納室６５の内部に入り込まないようにしたので、収納室６５の制御基板とベース体６１との間などの除去しにくい部位にロックピン９０の破片が進入することを未然に防止でき、従って、破壊されたロックピン９０0の破片の除去を容易に行うことができ、この点からも、修理コストを低減することができる。
【００５３】
基板ケースに対しケースを開放することなく不正行為を働こうとした場合、該基板ケースの側壁をこじ開けてその隙間から異物を差し込むことが考えられるが、側壁長が大きいために変形（つまり、こじ開け）が比較的容易と考えられる長辺側側壁（６１ｂ、６２ｂ、６２１、６２ｄ）は、ベース体６１及び蓋体６２の側壁部の一部が互いに重なり合うように形成されているので、長辺側側壁から異物を容易に挿入することができないように構成するとともに、短辺側側壁（６１ａ，６２ａ）は、側壁長が短いためにそもそも容易に変形することがないから、ベース体及び蓋体の側壁部の端部が互いに当接するように構成することにより、材料コストの減少と不正行為への十分な対応とを両立させることができる。
【００５４】
なお、本発明は、前記実施形態に限定されるものではなく、本発明の目的を達成できる範囲における変形及び改良などをも含むものである。
すなわち、前記実施形態では、蓋体に、結合具の本体部分及び返り部を挿通させるための挿通孔及び第１係止部を形成したが、これに限らず、ベース体に、結合具の本体部分及び返り部を挿通させるための挿通孔を形成してもよい。
また、前記実施形態では、ベース体に、結合具の返り部が挿通可能となっている返り部挿通孔と、返り部を収納する第１及び第２返り部室と、返り部を係止させる第１係止部と、第１及び第２返り部室から外部空間へ向かって延出する第１及び第２外部排出孔とを形成したが、これに限らず、ベース体に、結合具の本体部分及び返り部を挿通させるための挿通孔を形成した場合には、蓋体に、返り部挿通孔、第１及び返り部室、第１係止部、及び、第１及び第２外部排出孔を形成してもよい。
【００５５】
さらに、制御基板としては、液晶表示装置の動作を制御する画像制御基板に限らず、遊技機の遊技動作を制御するメイン制御基板、あるいは、遊技機の演出動作を制御するサブ制御基板でもよい。
また、結合具としては、前記実施形態における鍔部が分離可能に設けられたものに限らず、本体部分に鍔部が一体成形されて、鍔部が分離困難となったものでもよく、結合具の具体的な構造や形状は、実施にあたり適宜選択することができる。
【００５６】
また、遊技機としては、パチンコ機に限らず、スロットマシン等でもよく、本発明は、電子回路等が組まれている制御基板を収納する基板ケースを備えた遊技機全般に適用することができる。
【符号の説明】
【００５７】
１      パチンコ機    
23      基板ケース
61      ベース体                          
61A     底部
61B     側壁部                            
62      蓋体
62A     天井部                            
62B     側壁部
62D     舌部      
65      収納室
70      挿通孔としてのロックピン挿通孔    
72      返り部挿通孔
74Ａ    第１返り部室
74B    第２返り部室                          
75A    第１係止部
75B    第２係止部
76A    第１外部排出孔
76B    第２外部排出孔                    
77      仕切壁
90      結合具としてのロックピン          
91      本体部分としてのステム部
92      返り部  
92Ｂ    揺動部                        
93      鍔部
【図１】
0005411016.tif 000002
【図２】
0005411016.tif 000003
【図３】
0005411016.tif 000004
【図４】
0005411016.tif 000005
【図５】
0005411016.tif 000006
【図６】
0005411016.tif 000007
【図７】
0005411016.tif 000008
【図８】
0005411016.tif 000009
【図９】
0005411016.tif 000010
【図１０】
0005411016.tif 000011
【図１１】
0005411016.tif 000012
【図１２】
0005411016.tif 000013
【図１３】
0005411016.tif 000014
【図１４】
0005411016.tif 000015
【図１５】
0005411016.tif 000016